(57)【要約】【課題】デジタルカメラ等の撮影装置において、撮影をやり直すことなく好ましい構図となるように画像を加工できるようにする。【解決手段】撮影装置において撮影を行う際に、ＣＣＤ５８が撮像可能な範囲よりも狭い範囲の画像を液晶モニタ１８に表示し、１回の撮影の指示によりＣＣＤ５８の撮影可能な範囲に対応する第１の画像、および狭い範囲に対応する第２の画像を取得して記録メディア７０に記録する。【選択図】図１
2008085717.tif 000002
【特許請求の範囲】
【請求項１】
撮影により画像を取得する撮像手段を有する撮影系と、
前記画像を含む各種表示を行う表示手段と、
前記撮影により取得した画像を記録する記録手段と、
各種入力を受け付ける入力手段と、
撮影時に前記撮像手段が撮像可能な範囲よりも狭い範囲の画像を前記表示手段に表示し、１回の撮影の指示により前記撮像手段が撮影可能な全範囲に対応する第１の画像、および前記狭い範囲に対応する第２の画像を取得して前記記録手段に記録するよう、前記撮影系、前記表示手段および前記記録手段を制御する制御手段とを備えたことを特徴とする撮影装置。
【請求項２】
前記表示手段は、前記記録手段に記録された前記第１および前記第２の画像を切り替え可能に表示する手段であることを特徴とする請求項１記載の撮影装置。
【請求項３】
前記表示手段は、前記第１の画像を表示する場合には、前記第２の画像の範囲を表す枠を前記第１の画像に重畳させて表示する手段であることを特徴とする請求項２記載の撮影装置。
【請求項４】
撮影時に、前記画像を取得する前のプレ画像またはスルー画像に含まれる所定被写体の縦横比と、前記プレ画像または前記スルー画像の縦横比とを比較し、該所定被写体の長手方向と前記プレ画像または前記スルー画像の長手方向とが異なる場合には、該所定被写体の長手方向と前記プレ画像または前記スルー画像の長手方向とが一致するように前記撮影系を回転する回転手段をさらに備えたことを特徴とする請求項１から３のいずれか１項記載の撮影装置。
【請求項５】
撮影時に、前記画像を取得する前のプレ画像またはスルー画像に含まれる所定被写体の縦横比と、前記プレ画像または前記スルー画像の縦横比とを比較し、該所定被写体の長手方向と前記プレ画像または前記スルー画像の長手方向とが異なる場合には、警告を行う警告手段をさらに備えたことを特徴とする請求項１から３のいずれか１項記載の撮影装置。
【請求項６】
撮影により画像を取得する撮像手段を有する撮影系と、
前記画像を含む各種表示を行う表示手段と、
前記撮影により取得した画像を記録する記録手段と、
各種入力を受け付ける入力手段と、
撮影時に、前記画像を取得する前のプレ画像またはスルー画像に含まれる所定被写体の縦横比と、前記プレ画像または前記スルー画像の縦横比とを比較し、該所定被写体の長手方向と前記プレ画像または前記スルー画像の長手方向とが異なる場合には、該所定被写体の長手方向と前記プレ画像または前記スルー画像の長手方向とが一致するように前記撮影系を回転する回転手段とを備えたことを特徴とする撮影装置。
【請求項７】
撮影により画像を取得する撮像手段を有する撮影系と、前記画像を含む各種表示を行う表示手段と、前記撮影により取得した画像を記録する記録手段と、各種入力を受け付ける入力手段とを備えた撮影装置における撮影方法において、
撮影時に前記撮像手段が撮像可能な範囲よりも狭い範囲の画像を前記表示手段に表示し、
１回の撮影の指示により前記撮像手段が撮影可能な全範囲に対応する第１の画像、および前記狭い範囲に対応する第２の画像を取得して前記記録手段に記録することを特徴とする撮影方法。
【請求項８】
撮影により画像を取得する撮像手段を有する撮影系と、前記画像を含む各種表示を行う表示手段と、前記撮影により取得した画像を記録する記録手段と、各種入力を受け付ける入力手段とを備えた撮影装置における撮影方法をコンピュータに実行させるためのプログラムにおいて、
撮影時に前記撮像手段が撮像可能な範囲よりも狭い範囲の画像を前記表示手段に表示する手順と、
１回の撮影の指示により前記撮像手段が撮影可能な全範囲に対応する第１の画像、および前記狭い範囲に対応する第２の画像を取得して前記記録手段に記録する手順とを有することを特徴とするプログラム。
【発明の詳細な説明】
【技術分野】
【０００１】
本発明は、撮影により画像を取得するデジタルカメラ等の撮影装置および方法並びに撮影方法をコンピュータに実行させるためのプログラムに関するものである。
【背景技術】
【０００２】
デジタルカメラ等を用いて撮影により取得した画像に対して、画質を向上させるための画像処理を施すことにより、高画質の画像を取得することができる。また、撮影により取得した画像が好ましい構図を有するものとなるように、画像をトリミング等により加工することも行われている。例えば、画像から人物を抽出し、抽出した人物について好ましい構図となるように画像を加工する手法が提案されている（特許文献１参照）。この手法によれば、撮影時に好ましい構図が得られなくても、後から画像を加工することにより好ましい構図となる画像を取得することができる。
【特許文献１】特開２００５−１７５６８４号公報
【発明の開示】
【発明が解決しようとする課題】
【０００３】
しかしながら、上記特許文献１に記載された手法においては、撮影により得られる画像内に人物が収まっていることが前提となっているため、人物が収まっていない画像はいくら加工しても好ましい構図を有するものとはならないことから、撮影をやり直す必要がある。
【０００４】
本発明は上記事情に鑑みなされたものであり、撮影をやり直すことなく好ましい構図となるように画像を加工できるようにすることを目的とする。
【課題を解決するための手段】
【０００５】
本発明による撮影装置は、撮影により画像を取得する撮像手段を有する撮影系と、
前記画像を含む各種表示を行う表示手段と、
前記撮影により取得した画像を記録する記録手段と、
各種入力を受け付ける入力手段と、
撮影時に前記撮像手段が撮像可能な範囲よりも狭い範囲の画像を前記表示手段に表示し、１回の撮影の指示により前記撮像手段が撮影可能な全範囲に対応する第１の画像、および前記狭い範囲に対応する第２の画像を取得して前記記録手段に記録するよう、前記撮影系、前記表示手段および前記記録手段を制御する制御手段とを備えたことを特徴とするものである。
【０００６】
なお、本発明による撮影装置においては、前記表示手段を、前記記録手段に記録された前記第１および前記第２の画像を切り替え可能に表示する手段としてもよい。
【０００７】
また、本発明による撮影装置においては、前記表示手段を、前記第１の画像を表示する場合には、前記第２の画像の範囲を表す枠を前記第１の画像に重畳させて表示する手段としてもよい。
【０００８】
また、本発明による撮影装置においては、撮影時に、前記画像を取得する前のプレ画像またはスルー画像に含まれる所定被写体の縦横比と、前記プレ画像または前記スルー画像の縦横比とを比較し、該所定被写体の長手方向と前記プレ画像または前記スルー画像の長手方向とが異なる場合には、該所定被写体の長手方向と前記プレ画像または前記スルー画像の長手方向とが一致するように前記撮影系を回転する回転手段をさらに備えるものとしてもよい。
【０００９】
また、本発明による撮影装置においては、撮影時に、前記画像を取得する前のプレ画像またはスルー画像に含まれる所定被写体の縦横比と、前記プレ画像または前記スルー画像の縦横比とを比較し、該所定被写体の長手方向と前記プレ画像または前記スルー画像の長手方向とが異なる場合には、警告を行う警告手段をさらに備えるものとしてもよい。
【００１０】
本発明による他の撮影装置は、撮影により画像を取得する撮像手段を有する撮影系と、
前記画像を含む各種表示を行う表示手段と、
前記撮影により取得した画像を記録する記録手段と、
各種入力を受け付ける入力手段と、
撮影時に、前記画像を取得する前のプレ画像またはスルー画像に含まれる所定被写体の縦横比と、前記プレ画像または前記スルー画像の縦横比とを比較し、該所定被写体の長手方向と前記プレ画像または前記スルー画像の長手方向とが異なる場合には、該所定被写体の長手方向と前記プレ画像または前記スルー画像の長手方向とが一致するように前記撮影系を回転する回転手段とを備えたことを特徴とするものである。
【００１１】
本発明による撮影方法は、撮影により画像を取得する撮像手段を有する撮影系と、前記画像を含む各種表示を行う表示手段と、前記撮影により取得した画像を記録する記録手段と、各種入力を受け付ける入力手段とを備えた撮影装置における撮影方法において、
撮影時に前記撮像手段が撮像可能な範囲よりも狭い範囲の画像を前記表示手段に表示し、
１回の撮影の指示により前記撮像手段が撮影可能な全範囲に対応する第１の画像、および前記狭い範囲に対応する第２の画像を取得して前記記録手段に記録することを特徴とするものである。
【００１２】
なお、本発明による撮影方法をコンピュータに実行させるためのプログラムとして提供してもよい。
【発明の効果】
【００１３】
本発明によれば、撮影時に撮像手段が撮像可能な全範囲よりも狭い範囲の画像が表示手段に表示され、１回の撮影の指示により撮像手段の撮影可能な全範囲に対応する第１の画像および狭い範囲に対応する第２の画像が取得されて記録手段に記録される。このため、撮影者が表示手段に表示された画像を確認しながら撮影を行った場合において、人物等の所望とする被写体が表示手段に表示された画像からはみ出してしまっている場合であっても、表示手段に表示された画像よりも広い範囲を撮影することにより得られた第１の画像においては、所望とする被写体が画像からはみ出してしまう蓋然性を低くすることができる。したがって、表示手段により確認した範囲から所望とする被写体がはみ出してしまっていても、第１の画像を用いることにより、撮影をやり直すことなく、画像を加工することができる。
【００１４】
また、第１および第２の画像を切り替え可能に表示することにより、作業者が所望とする画像を表示することができる。
【００１５】
また、第１の画像を表示する際に第２の画像の範囲を表す枠を第１の画像に重畳させて表示することにより、撮影時に表示手段に表示された範囲の画像を容易に確認することができる。
【００１６】
また、撮影時に、画像を取得する前のプレ画像またはスルー画像に含まれる所定被写体の縦横比と、プレ画像またはスルー画像の縦横比とを比較し、所定被写体の長手方向とプレ画像またはスルー画像の長手方向とが異なる場合には、所定被写体の長手方向とプレ画像またはスルー画像の長手方向とが一致するように撮影系を回転することにより、画像と所定被写体とのバランスのよい構図を有する画像を取得することができる。
【００１７】
また、撮影時に、画像を取得する前のプレ画像に含まれる所定被写体の縦横比と、プレ画像またはスルー画像の縦横比とを比較し、所定被写体の長手方向とプレ画像またはスルー画像の長手方向とが異なる場合には警告を行うことにより、撮影装置を回転して撮影を行うように撮影者に注意を促すことができる。これにより撮影者は、被写体の長手方向とプレ画像またはスルー画像の長手方向とを一致させるように撮影装置を回転して撮影を行うことができるため、画像と所定被写体とのバランスのよい構図を有する画像を取得することができる。
【発明を実施するための最良の形態】
【００１８】
以下、図面を参照して本発明の実施形態について説明する。図１は本発明の撮影装置の第１の実施形態であるデジタルカメラ１の構成を示す概略ブロック図である。図１に示すデジタルカメラ１は、撮影により取得した画像データを、Ｅｘｉｆ形式の画像ファイルに変換して、本体に着脱可能な記録メディア７０へ記録するものである。
【００１９】
このデジタルカメラは、動作モードスイッチ、メニュー／ＯＫボタン、ズームレバー、上下矢印ボタン、Ｂａｃｋ（戻る）ボタン、表示切替ボタン、レリーズボタン、電源スイッチ等の操作系１０と、これらのスイッチ類の操作内容をＣＰＵ７５に伝えるためのインターフェース部分である操作系制御部７４とを有している。
【００２０】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズームレバーの操作量データに基づいて、各々のレンズの移動を制御する。
【００２１】
また、絞り５４は、モータとモータドライバとからなる絞り駆動部５５によって駆動される。この絞り駆動部５５は、ＡＥ／ＡＷＢ処理部６３から出力される絞り値データに基づいて絞り径の調整を行う。
【００２２】
シャッタ５６は、メカニカルシャッタであり、モータとモータドライバとからなるシャッタ駆動部５７によって駆動される。シャッタ駆動部５７は、レリーズボタンの押下により発生する信号と、ＡＥ／ＡＷＢ処理部６３から出力されるシャッタスピードデータとに応じて、シャッタ５６の開閉の制御を行う。
【００２３】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。また、ＣＣＤ５８はＣＣＤ制御部５９により、あらかじめ定められた大きさのアナログ撮像信号が得られるように、ゲインが調整されている。
【００２４】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００２５】
タイミングジェネレータ７２は、タイミング信号を発生させるものであり、このタイミング信号をシャッタ駆動部５７、ＣＣＤ制御部５９、アナログ信号処理部６０に供給することにより、レリーズボタンの操作、シャッタ５６の開閉、ＣＣＤ５８の電荷の取込み、およびアナログ信号処理部６０の処理の同期を取っている。
【００２６】
フラッシュ制御部７３は、撮影時にフラッシュ２４を発光させる。具体的には、フラッシュ発光モードがフラッシュオンとされている場合、およびフラッシュ発光モードがオートモードである場合において後述するプレ画像が所定の明るさにない場合にフラッシュ２４をオンとして、撮影時にフラッシュ２４を発光させる。一方、フラッシュ発光モードがフラッシュオフとされている場合、撮影時にフラッシュ２４の発光を禁止する。
【００２７】
画像入力コントローラ６１は、アナログ信号処理部６０から入力されたＣＣＤ−ＲＡＷデータをフレームメモリ６６に書き込む。
【００２８】
フレームメモリ６６は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００２９】
表示制御部７１は、フレームメモリ６６に格納された画像データをスルー画像として液晶モニタ１８に表示させたり、再生モード時に記録メディア７０に保存されている画像データを液晶モニタ１８に表示させたりするためのものである。なお、スルー画像は、撮影モードが選択されている間、所定時間間隔でＣＣＤ５８により撮影される。
【００３０】
ＡＦ処理部６２およびＡＥ／ＡＷＢ処理部６３は、プレ画像に基づいて撮影条件を決定する。このプレ画像とは、レリーズボタンが半押しされることによって発生する半押し信号を検出したＣＰＵ７５がＣＣＤ５８にプレ撮影を実行させた結果、フレームメモリ６６に格納された画像データにより表される画像である。
【００３１】
ＡＦ処理部６２は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。
【００３２】
ＡＥ／ＡＷＢ処理部６３は、プレ画像に基づいて被写体輝度を測定し、測定した被写体輝度に基づいて絞り値およびシャッタスピード等を決定し、絞り値データおよびシャッタスピードデータを露出設定値として決定するとともに（ＡＥ処理）、撮影時のホワイトバランスを自動調整する（ＡＷＢ処理）。なお、露出およびホワイトバランスについては、撮影モードがマニュアルモードに設定されている場合には、デジタルカメラ１の撮影者がマニュアル操作により設定可能である。また、露出およびホワイトバランスが自動で設定された場合にも、撮影者が操作系１０から指示を行うことにより、露出およびホワイトバランスをマニュアル調整することが可能である。
【００３３】
画像処理部６４は、本画像の画像データに対して、階調補正、シャープネス補正、色補正等の画質補正処理、ＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ５８から取り込まれ、アナログ信号処理部６０、画像入力コントローラ６１経由でフレームメモリ６６に格納された画像データによる画像である。本画像の画素数の上限は、ＣＣＤ５８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００３４】
圧縮／伸長処理部６５は、画像処理部６４によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、記録メディア７０から圧縮された画像ファイルを読み出し、伸張処理を行う。伸長後の画像データは液晶モニタ１８に出力される。
【００３５】
メディア制御部６７は、記録メディア７０にアクセスして画像ファイルの書き込みと読み込みの制御を行う。
【００３６】
内部メモリ６８は、デジタルカメラ１において設定される各種定数、およびＣＰＵ７５が実行するプログラム等を格納する。
【００３７】
ＣＰＵ７５は、操作系１０およびＡＦ処理部６２等の各種処理部からの信号に応じてデジタルカメラ１の本体各部を制御する。
【００３８】
ここで、本実施形態においては、スルー画像として液晶モニタ１８に表示されるのは、ＣＣＤ５８が撮影可能な全範囲に対応する画像ではなく、図２に示すように、ＣＣＤ５８が撮影可能な全範囲よりも狭い範囲５８Ａに対応する画像である。なお、範囲５８ＡはＣＣＤ５８の撮影可能な全範囲と同一のアスペクト比を有する。
【００３９】
そして、本実施形態においては、本撮影時にレリーズボタンが全押しされると、１回の撮影動作により、ＣＣＤ５８が撮影可能な全範囲に対応する第１の画像Ｓ１と、図２に示すＣＣＤ５８の範囲５８Ａに対応する第２の画像Ｓ２とを取得する。第２の画像Ｓ２は、液晶モニタ１８に表示された範囲に対応する構図を有する画像であるが、第１の画像Ｓ１は第２の画像Ｓ２よりも広い範囲、すなわち液晶モニタ１８から若干はみ出した範囲の構図を有する画像となっている。
【００４０】
このため、撮影時に図３（ａ）に示すように被写体である人物の上下が途切れている画像が液晶モニタ１８に表示されていた場合には、第２の画像Ｓ２は図３（ａ）に示す画像と同一となるが、第１の画像Ｓ１は図３（ｂ）に示すように、被写体である人物の上下が途切れていない構図の画像とすることができる。
【００４１】
データバス７６は、画像入力コントローラ６１、各種処理部６２〜６５、フレームメモリ６６、メディア制御部６７、内部メモリ６８、表示制御部７１およびＣＰＵ７５に接続されており、デジタル画像データ等のやり取りを行う。
【００４２】
以下、本実施形態のデジタルカメラにおいて行われる処理について説明する。図４は第１の実施形態において行われる処理を示すフローチャートである。レリーズボタンが全押しされることによりＣＰＵ７５が処理を開始し、第１および第２の画像Ｓ１，Ｓ２を取得し（ステップＳＴ１）、第１および第２の画像Ｓ１，Ｓ２を記録メディア７０に記録し（ステップＳＴ２）、処理を終了する。
【００４３】
なお、撮影後、デジタルカメラ１を再生モードに切り替えて、記録メディア７０に記録された第１および第２の画像Ｓ１，Ｓ２を液晶モニタ１８に表示することができる。この場合、第１および第２の画像Ｓ１，Ｓ２を操作系１０を用いて切り替え可能に表示することが好ましい。また、最初に表示する画像としては、液晶モニタ１８に表示された画像と同一の構図を有する第２の画像Ｓ２を用いることが好ましい。このように液晶モニタ１８に第１および第２の画像を切り替え可能に表示することにより、デジタルカメラ１において画像のトリミング等の加工を行う際に、第１および第２の画像Ｓ１，Ｓ２のいずれを使用するかを容易に判断することができる。
【００４４】
なお、第１の画像Ｓ１を表示する場合には、図５に示すように液晶モニタ１８に表示された第１の画像Ｓ１上に第２の画像Ｓ２の範囲を表す枠１８Ａを重畳させて表示するようにしてもよい。
【００４５】
また、記録メディア７０に記録された画像をパソコン等においてビューアソフトを用いて表示する際には、デジタルカメラ１における再生モード時と同様に、第１および第２の画像Ｓ１，Ｓ２を切り替え可能に表示することが好ましい。また、最初に表示する画像としては、液晶モニタ１８に表示された画像と同一の構図を有する第２の画像Ｓ２を用いることが好ましい。このようにパソコンにおいて第１および第２の画像を切り替え可能に表示することにより、パソコンにおいて画像のトリミング等の加工を行う際に、第１および第２の画像Ｓ１，Ｓ２のいずれを使用するかを容易に判断することができる。
【００４６】
このように、第１の実施形態においては、ＣＣＤ５８が撮影可能な全範囲に対応する第１の画像Ｓ１およびこれより狭い範囲に対応する第２の画像Ｓ２を１回の撮影により取得するようにしたものである。このため、撮影者が液晶モニタ１８に表示された画像を確認しながら撮影を行った場合において、人物等の所望とする被写体が液晶モニタ１８に表示された画像からはみ出してしまっている場合であっても、液晶モニタ１８に表示された画像よりも広い範囲を撮影することにより得られた第１の画像Ｓ１においては、所望とする被写体が画像からはみ出してしまう蓋然性を低くすることができる。したがって、液晶モニタ１８により確認した範囲から所望とする被写体がはみ出してしまっていても、第１の画像Ｓ１を用いることにより、撮影をやり直すことなく、画像を加工することができる。
【００４７】
次いで、本発明の第２の実施形態について説明する。図６は本発明の撮影装置の第２の実施形態であるデジタルカメラ１Ａの構成を示す概略ブロック図である。なお、第２の実施形態において第１の実施形態と同一の構成については同一の参照番号を付与し、ここでは詳細な説明は省略する。第２の実施形態によるデジタルカメラ１Ａは、フォーカスレンズ２０ａ、ズームレンズ２０ｂ、フォーカスレンズ駆動部５１、ズームレンズ駆動部５２、絞り５４、絞り駆動部５５、シャッタ５６、シャッタ駆動部５７、ＣＣＤ５８およびＣＣＤ制御部５９からなる撮影系８０を、光軸の周囲に回転駆動する回転部８２および駆動部８４を備えた点が第１の実施形態と異なる。
【００４８】
回転部８２は、スルー画像に含まれる人物等の被写体の縦横比と、スルー画像の縦横比とを比較し、被写体の長手方向とスルー画像の長手方向が異なる場合に、被写体の長手方向とスルー画像の長手方向とが一致するように撮影系８０を回転するように駆動部８４を制御する。なお、第２の実施形態においては、駆動部８４をモータおよび駆動ギヤからなるものとし、撮影系８０を円筒形状の筐体内に配置し、筐体の外周に付与された従動ギヤを駆動部８４の駆動ギヤにより回転させることにより撮影系８０をその光軸の周囲に回転すればよい。
【００４９】
図７は撮影系８０の回転を説明するための図である。初期状態においてはスルー画像の横方向が長手方向となるようにデジタルカメラ１Ａ内において撮影系８０が位置している。この状態において、図７（ａ）に示すように人物を撮影しようとすると、人物の長手方向とスルー画像の長手方向とが異なるものとなるため、撮影により得られる画像の左右の余白が大きくなってしまう。
【００５０】
回転部８２は、このような場合、撮影系８０を９０度回転して図７（ｂ）に示すように人物の長手方向とスルー画像の長手方向とを一致させる。これにより得られる画像の左右の余白を少なくすることができるため、画像と人物等の被写体とのバランスのよい構図を有する画像を取得することができる。
【００５１】
なお、上記第２の実施形態においては撮影系８０を回転しているが、図８に示す第３の実施形態によるデジタルカメラ１Ｂのように、回転部８２および駆動部８４に代えて、人物等の被写体の縦横比とスルー画像の縦横比とを比較し、被写体の長手方向とスルー画像の長手方向が異なる場合に警告を行う警告部８６を備えるようにしてもよい。なお、警告部８６による警告は、液晶モニタ１８に「カメラを回転して下さい」のメッセージを表示したり、音声によりメッセージを発したり、これらの双方を用いるものであってもよい。
【００５２】
これにより、撮影者は被写体の長手方向とスルー画像の長手方向とが一致するようにデジタルカメラ１Ｂを回転して撮影を行うことができるため、撮影により取得される画像の左右の余白を少なくすることができ、その結果、画像と人物等の被写体とのバランスのよい構図を有する画像を取得することができる。
【００５３】
なお、上記第２および第３の実施形態においては、被写体の縦横比とスルー画像の縦横比とを比較しているが、プレ撮影時において被写体の縦横比とプレ画像の縦横比とを比較してもよい。この場合、レリーズボタンの半押し動作により被写体の縦横比とスルー画像の縦横比とが比較され、その結果に基づいて撮影系８０の回転または警告部８６による警告が行われることとなる。
【００５４】
以上、本発明の実施形態に係るデジタルカメラについて説明したが、コンピュータに図２に示すような処理を行わせるプログラムも本発明の実施形態の１つである。また、そのようなプログラムを記録したコンピュータ読取り可能な記録媒体も、本発明の実施形態の１つである。
【図面の簡単な説明】
【００５５】
【図１】本発明の撮影装置の第１の実施形態であるデジタルカメラの構成を示す概略ブロック図
【図２】ＣＣＤの撮影可能範囲を示す図
【図３】第１および第２の画像の例を示す図
【図４】第１の実施形態において行われる処理を示すフローチャート
【図５】第１の画像に第２の画像の輪郭を重畳した状態を示す図
【図６】本発明の撮影装置の第２の実施形態であるデジタルカメラの構成を示す概略ブロック図
【図７】撮影系の回転を説明するための図
【図８】本発明の撮影装置の第３の実施形態であるデジタルカメラの構成を示す概略ブロック図
【符号の説明】
【００５６】
１，１Ａ，１Ｂ  デジタルカメラ
１８    液晶モニタ
２４    フラッシュ
６２    ＡＦ処理部
６３    ＡＥ／ＡＷＢ処理部
６４    画像処理部
７１    表示制御部
７３    フラッシュ制御部
７５    ＣＰＵ
８０    撮影系
８２    回転部
８４    駆動部
８６    警告部
【図１】
2008085717.tif 000003
【図２】
2008085717.tif 000004
【図３】
2008085717.tif 000005
【図４】
2008085717.tif 000006
【図５】
2008085717.tif 000007
【図６】
2008085717.tif 000008
【図７】
2008085717.tif 000009
【図８】
2008085717.tif 000010